(57)【要約】      （修正有）【課題】養液劣化、酸素不足を解消する非養液循環型の簡易遂行栽培装置を提供。【解決手段】パーライト等の多孔質で吸水性顕著な素材３と培地マット５の間に、ネット４を敷くことにより、養液タンク１の養液２上に浮いたパーライト等の多孔質で吸水性顕著な素材３が、養液２の蒸発により自然沈下する際に養液タンク１と干渉し、沈下を妨げる現象をネット４が格子長手方向が突起していることから、点当たりとなり、養液タンク１との摺動性を向上させる。【選択図】図１
2012223176.tif 000002
【特許請求の範囲】
【請求項１】
養液（作物に有効な部生物群）が注入されたタンク内にパーライト等の多孔質で吸水性顕著な素材を敷き、養液上に浮力で浮かせ、その上に培地マットを乗せる。パーライト等の多孔質で吸水性顕著な素材は保水性が優れていることから、養液を吸いこみ上昇させ培地に十分な養液を与えることができることを特徴とした簡易水耕栽培装置。
【請求項２】
パーライト等の多孔質で吸水性顕著な素材を養液と培地の間に使用することにより、自ら持ちうる特性である酸素供給に優れていることと、培地マットとの接点が点当たりとなることから、通気口が多数存在し、根腐れ・養液劣化を防止することを特徴とした簡易水耕栽培装置。
【請求項３】
パーライト等の多孔質で吸水性顕著な素材を使用することにより、粒芯部に空気をもち、表面が多孔質のため作物の育成に有効な微生物群が付着、繁殖し易く、その住処となる。また、粒芯部に好気性バクテリアが付着、繁殖し易く、水の浄化が図れることを特徴とした簡易水耕栽培装置。
【請求項４】
パーライト等の多孔質で吸水性顕著な素材と培地マットの間に、ネット（ＰＰ製）を敷くことにより、養液上に浮いたパーライト等の多孔質で吸水性顕著な素材が、養液の蒸発により自然沈下する際に養液タンクと干渉し、沈下を妨げる現象をネット（ＰＰ製）の格子長手方向が突起していることから、点当たりとなり養液タンクとの摺動性を向上させ解決する。
【発明の詳細な説明】
【技術分野】
【０００１】  本発明は、動力を使用せずにパーライト等の吸湿性が顕著な素材に溶液を与え、その多孔質性が溶液と酸素の供給に優れ、根腐れ・養液劣化防止並びに作物に有効な微生物群の菌の住処になり繁殖し、作物の成長を促す。またパーライト等の粒芯部は空気をもち、表面が多孔質であることから好気性バクテリアが付着、繁殖し易く水の浄化も出来る水耕栽培装置に関するものである。
【背景技術】
【０００２】  従来技術による水耕栽培システムは、養液タンクから培地スペースへ養液循環を行うため高額な循環システムを用いる設備である。また、安価なものでも酸素ポンプを使用して酸素を送り根腐れ防止・液劣化防止を行いどうしても動力が必要であった。【０００３】  また、先行技術文献調査の結果においても特許の先願、論文発表もなかった。
類似の技術として、浮上性ネットを水面に浮かせて、浮上性ネットにより吸水性シートと水の間には空気の層ができ、水面は常に空気に曝（さら）され、浮上性ネットの間を伸びる根と空気に曝（さら）されている水には常に酸素が供給されるものは既存したが、本発明では、養液と培地の間にパーライト等の吸湿性が顕著な素材が浮いていることから、それらの特性である多孔質性が酸素の循環を顕著に誘発することで、根腐れ・液劣化を防止し、尚且つ、パーライト等を使用することにより、作物の育成に有効な微生物群の菌の住処になることにより根に十分に栄養が行き渡るシステムであり、明らかに違うものである。
【発明の概要】
【発明が解決しようとする課題】
【０００４】  従来技術による水耕栽培システムは、養液タンクから培地スペースへ養液循環を行うため高額な投資と設備スペースが必要であった。【０００５】  従来技術による養液劣化、根腐れの原因が「酸素不足」であり、酸素不足を解消するために、水耕栽培では強制酸素排出（ポンプ）を使用している点である。【０００６】  本発明は上記事情に鑑みて成されたものであり、強制酸素排出（ポンプ）を使用せずに養液循環並びに、根及び養液に酸素を供給することを目的とする。
【課題を解決するための手段】
【０００７】  本発明は、上記課題を解決するため、動力を使用せずにパーライト等の吸湿性が顕著な素材に養液を与えることにより、培地に液浸透を促す。その多孔質性が養液と酸素の供給に優れ、根腐れ・養液劣化防止並びに作物に有効な微生物群の菌の住処になり繁殖し、作物の成長を促す。またパーライト等の粒芯部は空気をもち、表面が多孔質であることから好気性バクテリアが付着、繁殖し易く養液の浄化も出来ることを特徴とする水耕栽培装置を用いる。
【発明の効果】
【０００８】  本発明によれば、パーライト等の吸湿性が顕著な素材を使用することにより、その多孔質性が溶液と酸素の供給に優れ、根腐れ・養液劣化防止効果が得られる。【０００９】  また、動力を使用せず水耕栽培ができる。【００１０】  また、養液を吸収したパーライト等の吸湿性が顕著な素材は、保湿性が顕著であることから養液蒸発の抑制効果が得られる。【００１１】    また、パーライト等を使用することにより、作物の育成に有効な微生物群の菌の住処になることにより根に十分に栄養が行き渡り、作物の育成に効果が得られる。【００１２】    また、パーライト等の粒芯部は空気をもち、表面が多孔質であることから好気性バクテリアが付着、繁殖し易く養液の浄化効果が得られる。【００１３】  また、パーライト等の多孔質で吸水性顕著な素材と培地マットの間に、ネット（ＰＰ製）を敷くことにより、養液上に浮いたパーライト等の多孔質で吸水性顕著な素材が、養液の蒸発により自然沈下する際に養液タンクと干渉し、沈下を妨げる現象をネット（ＰＰ製）の格子長手方向が突起していることから、点当たりとなり養液タンクとの摺動性を向上させ解決する。
【図面の簡単な説明】
【００１４】
【図１】本発明による水耕栽培装置の説明図である。
【発明を実施するための形態】
【００１５】  次に本発明に係る実施の形態について、図面に従い詳述する。
【実施例１】  図１は本発明を用いた水耕栽培装置の説明図である。【００１６】  養液タンク１．に養液２．を適当に注入する。【００１７】  パーライト等の多孔質で吸水性顕著な素材３．を養液２．の上に浮かせる。【００１８】  パーライト等の多孔質で吸水性顕著な素材３．と培地マット５．の間にネット（ＰＰ製）４．を敷く。【００１９】  ネット４．の上に培地マット５．を乗せる。【００２０】  培地マット５．に培地（播種済み）６．を挿入。【００２１】    養液（微生物群）２．がパーライト等の多孔質な素材３．を伝い植物の根まで浸透する。その際、パーライト等の多孔質な素材３．によって酸素循環が通気口６．から働き根と養液に十分な酸素供給を行う。また、パーライト等の多孔質な素材３．と培地マット４．の接点が点当たりとなることから、通気口が多数存在し、根腐れ・養液劣化を防止する。また、パーライト等の多孔質で吸水性顕著な素材３．と培地マット５．の間に、ネット（ＰＰ製）４．を敷くことにより、養液上に浮いたパーライト等の多孔質で吸水性顕著な素材３．が、養液の蒸発により自然沈下する際に養液タンク１．と干渉し、沈下を妨げる現象をネット（ＰＰ製）４．の格子長手方向８．が突起していることから、（横手方向９．は下になる）養液タンク１０．との摺動性を向上させ解決することを特徴とした簡易水耕栽培装置。
【産業上の利用可能性】
【００２２】  本装置は、家庭用又は公共施設での家庭菜園として安心安全な家庭内菜園の活用が出来る。また、大きさを変え定植数を増やし、植物の製造・販売者に提供出来る。
【符号の説明】
【００２３】１，    養液タンク                    ８，    ネット格子長手方向
２，    養液（微生物群含む）          ９，    ネット横手方向
３，    パーライト等の多孔質な素材    １０，  養液タンク拡大図
４，    ネット（ＰＰ）
５，    培地マット
６，    培地
７，    通気口
【図１】
2012223176.tif 000003